(57)【特許請求の範囲】
【請求項１】
少なくとも前後一対の針床を有し、前後いずれかの針床が左右にラッキング可能な横編機を用いて、編地の編成途中で編糸が切り替わる糸入れ部および糸出し部の少なくとも一方を有する編地を編成する際、前記糸入れ部または糸出し部における編糸の解れ止めを行なう編糸の解れ止め方法において、
編幅方向に連続する第一編目、第二編目、および第三編目を含む第一編目列を、次の要件［Ａ］または［Ｂ］を満たして編成する工程αと、
［Ａ］第一編目、第二編目、および第三編目のうち、第一編目および第三編目を一方の針床、第二編目を他方の針床に配置する
［Ｂ］第一編目、第二編目、および第三編目のうち、第二編目および第三編目を一方の針床、第一編目を他方の針床に配置する
針床をラッキングして、第一編目と第二編目の編幅方向の位置を入れ換えてから、第一編目、第二編目、および第三編目のそれぞれのウエール方向に続く第四編目、第五編目、および第六編目を含む第二編目列を編成する工程βと、
前記工程βとは反対方向に針床をラッキングして、前記第一編目と前記第二編目の左右の位置関係を前記工程αと同じ状態に戻す工程γと、
前記第二編目列のウエール方向に続く第三編目列を編成し、前記第一編目と前記第二編目との間、前記第二編目と前記第三編目との間、前記第四編目と前記第五編目との間、および前記第五編目と前記第六編目との間に形成される渡り糸の位置関係を確定させることで、前記糸入れ部または糸出し部における編糸の解れ止めを行なう工程δと、
を備えることを特徴とする編糸の解れ止め方法。
【請求項２】
前記糸入れ部では前記工程αの前に、前記糸出し部では前記工程γの後に、針床に係止される編目にタックを行なうことを特徴とする請求項１に記載の編糸の解れ止め方法。
【発明の詳細な説明】
【技術分野】
【０００１】
本発明は、横編機を用いて編地を編成する際、編地の編成途中で編糸が切り替わる糸入れ部または糸出し部における編糸の解れ止めを行なう編糸の解れ止め方法に関する。
【背景技術】
【０００２】
ボーダー柄やインターシャ柄などを有する編地では、編地の編成途中で編糸の切り替えが行われる。この編糸が切り替わる部分には、切り替え前の編糸で編成された編地部からその編糸が引き出される糸出し部と、切り替え前の編糸で編成された編地部に切り替え後の編糸を導入する糸入れ部とがあり、これら糸入れ部および糸出し部で編糸が解れ出さないようにする必要がある。本出願人は、この解れ止めを横編機に行わせる編糸の解れ止め方法を提案している（例えば、特許文献１を参照）。
【０００３】
特許文献１には、糸入れまたは糸出しする際、掛け目からなる二つの係止点を形成し、一方の係止点を既存編目の表側に、他方の係止点を別の既存編目の裏側に重ね合わせることで、編糸の解れ止めを行なっている。ここで、既存編目とは、係止点の形成前に既に針床に係止されている編目のことで、各係止点が重ね合わされる既存編目は互いに近接する位置にある。
【先行技術文献】
【特許文献】
【０００４】
【特許文献１】国際公開ＷＯ２０１０／０７３４９１公報
【発明の概要】
【発明が解決しようとする課題】
【０００５】
特許文献１の編糸の解れ止め方法では、カムシステムが少ない横編機を用いた場合、編成コース数の増加に繋がる恐れがある。
【０００６】
本発明は上記事情に鑑みてなされたものであり、その目的は、目移しを用いることなく、簡素な工程で編糸の解れ止めを行なうことができる編糸の解れ止め方法を提供することにある。
【課題を解決するための手段】
【０００７】
本発明は、針床のラッキング機能を利用して編糸の解れ止めを行なうことで、上記課題を解決する。
【０００８】
本発明は、少なくとも前後一対の針床を有し、前後いずれかの針床が左右にラッキング可能な横編機を用いて、編地の編成途中で編糸が切り替わる糸入れ部および糸出し部の少なくとも一方を有する編地を編成する際、糸入れ部または糸出し部における編糸の解れ止めを行なう編糸の解れ止め方法に係る。この本発明編糸の解れ止め方法は、以下の工程α〜δを備えることを特徴とする。
［工程α］…編幅方向に連続する第一編目、第二編目、および第三編目を含む第一編目列を編成する。ここで、本発明における工程αでは、第一編目〜第三編目を、次の［Ａ］または［Ｂ］のいずれかを満たすように配置する。
［Ａ］第一編目および第三編目を一方の針床、第二編目を他方の針床に配置する。
［Ｂ］第二編目および第三編目を一方の針床、第一編目を他方の針床に配置する。
［工程β］…針床をラッキングして、第一編目と第二編目の編幅方向の位置を入れ換えてから、第一編目、第二編目、および第三編目のそれぞれのウエール方向に続く第四編目、第五編目、および第六編目を含む第二編目列を編成する。例えば、工程αで第一編目が係止されている編針Ｘに対して、第二編目が係止されている編針Ｙが右にあれば、工程βでは編針Ｙが編針Ｘよりも左になるように何れかの針床をラッキングする。なお、ラッキングピッチは、糸切れが生じないように、１〜４ピッチの範囲内とすることが好ましい。
［工程γ］…工程βとは反対方向に針床をラッキングして、第一編目と第二編目の左右の位置関係を工程αと同じ状態に戻す。例えば、上記編針Ｘ，Ｙの関係で言えば、工程γでは編針Ｙが編針Ｘよりも右になるように何れかの針床をラッキングする。その際、編針Ｙが編針Ｘよりも右にあれば良く、工程γのラッキングピッチは、工程βのラッキングピッチと異なっていても良い。
［工程δ］…第二編目列のウエール方向に続く第三編目列を編成し、第一編目と第二編目との間、および第二編目と第三編目との間に形成される渡り糸、並びに第四編目と第五編目との間、および第五編目と第六編目との間に形成される渡り糸の関係を確定させることで、糸入れ部または糸出し部における編糸の解れ止めを行なう。
【０００９】
本発明編糸の解れ止め方法の一形態として、糸入れ部では工程αの前に、糸出し部では工程γの後に、針床に係止される編目にタックを行なう形態を挙げることができる。
【発明の効果】
【００１０】
本発明編糸の解れ止め方法によれば、第一編目列の第一編目〜第三編目と、そのウエール方向に連続する第二編目列の第四編目〜第六編目とが形成される箇所の近傍で渡り糸が複雑に交差した状態となる。そのため、当該箇所で編糸の解れ止めを行なうことができる。また、本発明編糸の解れ止め方法は、針床のラッキングを利用することで、編目の目移しを行なうことなく、編糸の解れ止めを行なうので、カムシステムが少ない横編機を用いた場合でも、編成コース数の増加を抑制できる。例えば、多数の編糸を用いて編成されるインターシャ柄を備える編地では、糸入れ・糸出しを頻繁に行なうため、本発明編糸の解れ止め方法によって編成コース数の増加を抑制することで編地の生産性を向上させることができる。
【００１１】
本発明編糸の解れ止め方法で糸入れ・糸出し時にタックを行なうことで、糸入れ部・糸出し部における編糸の解れ止めをより強固にすることができる。
【図面の簡単な説明】
【００１２】
【図１】実施形態に示す編糸の解れ止め方法に係る編成工程図である。
【発明を実施するための形態】
【００１３】
以下、図１に基づいて、ボーダー柄における編糸が切り替わる部分を例にして本発明編糸の解れ止め方法を説明する。実施形態に記載の編成には、左右方向に延び、かつ、前後方向に互いに対向する前後一対の針床を有し、前後いずれかの針床が左右にラッキング可能な２枚ベッド横編機を用いた。もちろん、使用する横編機は４枚ベッド横編機でも良い。
【００１４】
＜実施形態１＞
図１は、解れ止め方法の編成手順を示す編成工程図である。図１の左側にある第一欄の『Ｓ＋数字』は工程番号を、第二欄の『矢印＋１Ｐ』は針床のラッキング方向とラッキングピッチを、第三欄の『矢印（Ｋが付されたものは編成を伴う）』は給糸口の移動方向を、第四欄は実際の編成動作の様子を示す。第四欄の●印は新規の編目（掛け目を含む）、○印は針床に係止される編目、Ｖ印はタック目、▽印・▼印は給糸口を示す。なお、第四欄に示すように、本実施形態に用いる横編機は、前針床（以下、ＦＢ）と後針床（以下、ＢＢ）とが０．５ピッチずれた状態で対向している。また、各工程において、ラッキングが先、編成は後に行なう。
【００１５】
Ｓ０には、給糸口８を紙面左方向に移動させ、ボーダー柄の縞の一つを編成している状態が示されている。このＳ０の状態から以下に示すＳ１〜Ｓ３・Ｓ５で糸出しを行ない、Ｓ４・Ｓ５〜Ｓ７で糸入れを行なう。
【００１６】
Ｓ１では、給糸口８を紙面右方向に移動させ、第一編目列１０を編成する（糸出しにおける工程α）。第一編目列１０は、その始端側から順に、第一編目列１０の編成方向に向かって並ぶ第一編目１、第二編目２、および第三編目３を有する。第二編目２は、ＢＢに編成される掛け目、第一編目１と第三編目３は、Ｓ０においてＦＢに係止される編目のウエール方向に連続して編成される編目である。なお、第二編目２は、割増やしで形成したものであっても良い。
【００１７】
Ｓ２では、ＢＢを紙面左方向に１ピッチラッキングした後、給糸口８を紙面左方向に移動させ、第一編目列１０のウエール方向に続く第二編目列２０を編成する（糸出しにおける工程β）。第二編目列２０は、その終端側から順に、第二編目列２０の編成方向と反対の方向に向かって並ぶ第五編目５、第四編目４、および第六編目６を有する。
【００１８】
Ｓ３では、ＢＢを紙面右方向に１ピッチラッキングし、第一編目１と第二編目２の左右の位置関係をＳ１の終了時点と同じにする（糸出しにおける工程γ）。そうすることで、第一編目列１０の第一編目１・第二編目２・第三編目３と、そのウエール方向に連続する第二編目列２０の第四編目４・第五編目５・第六編目６とが形成される箇所の近傍で、これらの編目１〜６を繋ぐ渡り糸が複雑に交差した状態となる。
【００１９】
さらにＳ３では、給糸口８を紙面右方向に移動させ、第二編目列２０の編目のうち、ＢＢに係止される編目よりも紙面右側（編糸を引き出す側とは反対側）の編目にタックを行なう。そして、Ｓ３でさらに給糸口８を紙面左方向に移動させ、給糸口８からの編糸を編地の編幅方向の外に出して、給糸口８による縞の編成を終了する。なお、給糸口８による縞の編成は終了したものの、まだ糸出し部における編糸の解れ止めは完了していない。
【００２０】
ここで、上記Ｓ３で行なうタックは、糸出しにおける工程γの後に行なうタックであり、必須の工程ではないが、このタックを行なうことで糸出し部の編糸の解れ止めをより強固にすることができる。タックの対象となる編目は、Ｓ３に例示される位置よりも紙面右側であっても良く、特に限定されない。
【００２１】
次のＳ４以降では、給糸口８からの編糸で編成した縞に続く新たな縞を、新たな給糸口９を用いて編成する。まず、Ｓ４では、新たな給糸口９を紙面右方向に移動させ、糸出し部の第二編目列２０の端部編目にタックを行なった後、給糸口９を紙面左方向に移動させる。このＳ４のタックは、糸入れにおける工程αの前に行なうタックであり、必須の工程ではないが、糸入れ部の編糸の解れ止めをより強固にする効果を奏する。従って、Ｓ４を行なうことが好ましい。なお、タックの対象となる編目は特に限定されないが、Ｓ３で糸出しのタックを行なった編目は避けることが好ましい。それは、Ｓ３，Ｓ４で同じ編目にタックをすると、三重の編目になってしまうからである。
【００２２】
Ｓ５では、給糸口９を紙面右方向に移動させ、糸出しにおいて編成した第二編目列２０のウエール方向に続く第三編目列３０を編成する（糸出しにおける工程δ）。その結果、第一編目１と第二編目２との間、および第二編目２と第三編目３との間に形成される渡り糸、並びに第四編目４と第五編目５との間、および第五編目５と第六編目６との間に形成される渡り糸の位置関係が確定し、糸出し部の編糸が解れないように止められる。
【００２３】
ここで、Ｓ５で編成した第三編目列３０は、糸入れにおける第一編目列１０でもあり（糸入れにおける工程α）、第一編目列１０は、その始端側から順に、第一編目列１０の編成方向に向かって並ぶ第一編目１、第二編目２、および第三編目３を有する。そして、第二編目２はＢＢに、第一編目１と第三編目３はＦＢに編成されている。
【００２４】
Ｓ６では、ＢＢを紙面左方向に１ピッチラッキングした後、給糸口９を紙面左方向に移動させ、第一編目列１０のウエール方向に続く第二編目列２０を編成する（糸入れにおける工程β）。第二編目列２０に備わる第四編目４、第五編目５、および第六編目６はそれぞれ、第一編目１、第二編目２、および第三編目３のウエール方向に連続して形成されている。
【００２５】
Ｓ７では、ＢＢを紙面右方向に１ピッチラッキングし、第一編目１と第二編目２の左右の位置関係をＳ５終了時点と同じにする（糸入れにおける工程γ）。そうすることで、第一編目列１０の第一編目１・第二編目２・第三編目３と、そのウエール方向に連続する第二編目列２０の第四編目４・第五編目５・第六編目６とが形成される箇所の近傍で、これらの編目１〜６を繋ぐ渡り糸が複雑に交差した状態となる。
【００２６】
さらにＳ７では、給糸口９を紙面右方向に移動させ、Ｓ６において編成した第二編目列２０のウエール方向に連続する第三編目列３０を編成する（糸入れにおける工程δ）。その結果、糸出し部と同様に糸入れ部の編糸が解れないように止められる。
【００２７】
＜実施形態２＞
実施形態１では、編糸の解れ止めを行なうために編成した編目１〜３のうち、第二編目２をＢＢに編成した（図１のＳ１，Ｓ５参照）。これに対して、図１のＳ１，Ｓ５において、第一編目１をＢＢに、第二編目２と第三編目３をＦＢに編成しても良い（この場合、第一編目１は掛け目となる）。その場合、Ｓ２，Ｓ６では、ＢＢを紙面右方向に１ピッチラッキングさせて、第一編目１と第二編目２の編幅方向の位置を入れ換える。そして、更にＳ５，Ｓ７では、ＢＢを紙面左方向に１ピッチラッキングした状態で、第一編目１と第二編目２の左右の位置関係をＳ１，Ｓ５と同じに戻す。以上のような編成工程でも、糸入れ部・糸出し部における編糸の解れ止めを行なうことができる。
【００２８】
なお、本発明は、上述した実施形態に限定されるわけではなく、本発明の要旨を逸脱しない範囲で適宜変更して実施することができる。実施形態では、編地の編幅方向端部で糸入れ・糸出しを行なっているが、当該端部以外の部分で糸入れ・糸出しを行なっても構わない。例えば、インターシャ柄を備える編地では、編地の編幅方向の中間部（端部以外の部分）で編糸が入れ代わることが多いので、その場合は、当該中間部で図１に示した糸入れ・糸出しを行なえば良い。
【符号の説明】
【００２９】
１  第一編目
２  第二編目
３  第三編目
４  第四編目
５  第五編目
６  第六編目
１０  第一編目列
２０  第二編目列
３０  第三編目列
【図１】
0005881479.tif 000002